(57)【要約】  消灯状態を含む範囲で調光を行う場合でも安定的に調光できるようにしたＬＥＤ駆動電源装置及びＬＥＤ照明装置を構成する。  第１の制御回路に相当する電力変換制御回路（５６）は、絶縁手段（５８）を介して入力されるフィードバック制御信号に応じてスイッチング素子（Ｑ１）のオン時間又はスイッチング周期を制御して、ＰＦＣコンバータとして作用するとともに、ＬＥＤ（６０）への供給電力を制御する。第２の制御回路に相当する調光制御回路（５０）は、定電流制御回路（５１）、定電圧制御回路（５２）、及びＯＲゲート回路（５３）を備えている。外部調光信号が通常点灯に設定する信号であれば、定電流制御回路（５１）はＬＥＤ（６０）への供給電流を目標電流値に保つ。外部調光信号が最低輝度に設定する信号であれば、定電圧制御回路（５２）はＬＥＤ（６０）への供給電圧を目標電圧値に保つ。
2011065047.tif 000002
【特許請求の範囲】
【請求項１】
入力電源から電力を入力し、ＬＥＤへ電力を出力する電力変換回路と、
フィードバック制御信号に応じて前記電力変換回路を制御して前記ＬＥＤへの供給電力を制御する第１の制御回路と、
前記ＬＥＤの輝度または前記ＬＥＤへの供給電力を設定するための外部調光信号が入力され、前記第１の制御回路へ前記フィードバック制御信号を出力する第２の制御回路と、を備え、
前記第２の制御回路は、
前記外部調光信号が通常点灯に設定する信号であるときに前記電力変換回路からの出力電流を目標電流値に保つ定電流制御回路と、
前記外部調光信号が最低輝度に設定する信号であるときに前記電力変換回路からの出力電圧を目標電圧値に保つ定電圧制御回路と、
を有し、
前記定電圧制御回路は、前記第１の制御回路が前記ＬＥＤのオフセット電圧以下で且つ前記第２の制御回路の動作可能下限電圧以上の電圧を出力するように、前記フィードバック制御信号を出力する、ＬＥＤ駆動電源装置。
【請求項２】
前記入力電源は商用交流電源であり、
前記電力変換回路は、前記商用交流電源の電圧を入力し、前記ＬＥＤへの供給電流が前記商用交流電源の電圧と同位相で正弦波状に変化する力率改善コンバータである、請求項１に記載のＬＥＤ駆動電源装置。
【請求項３】
前記入力電源は商用交流電源であり、
前記電力変換回路は、前記商用交流電源の電圧を入力し、絶縁状態で電力変換を行うトランスを備えた、請求項１又は２に記載のＬＥＤ駆動電源装置。
【請求項４】
前記定電流制御回路及び前記定電圧制御回路は共に動作し、
前記定電圧制御回路と前記定電流制御回路の出力のうち、負荷へ供給される電力を下げる方が優先して前記フィードバック制御信号として前記第１の制御回路へ出力され、前記外部調光信号が通常点灯に設定する信号であるときに、前記定電流制御回路の出力が有効になるように、前記定電圧制御回路の目標電圧値を第１の目標値に設定し、前記外部調光信号が最低輝度に設定する信号であるときに、前記定電圧制御回路の出力が有効になるように、前記定電圧制御回路の目標電圧値を前記第１の目標値より低い第２の目標値に設定する、定電圧制御回路目標値切替手段を備えた、請求項１乃至３の何れかに記載のＬＥＤ駆動電源装置。
【請求項５】
前記電力変換回路からの出力電流が前記目標電流値に達しないとき、前記定電圧制御回路の出力が有効になるように、前記第１の目標値を定めた、請求項４に記載のＬＥＤ駆動電源装置。
【請求項６】
前記目標電圧値を前記第２の制御回路の動作可能下限電圧より低い値にし、
前記外部調光信号が最低輝度に設定する信号であるときに、前記電力変換回路は、前記第２の制御回路の動作停止による前記出力電圧の上昇と、前記第２の制御回路の動作による前記出力電圧の低下とを交互に繰り返す、請求項４乃至５の何れかに記載のＬＥＤ駆動電源装置。
【請求項７】
請求項１乃至６の何れかに記載のＬＥＤ駆動電源装置と、該ＬＥＤ駆動電源装置によって電力供給を受けるＬＥＤとで構成されたＬＥＤ照明装置。
【発明の詳細な説明】
【技術分野】
【０００１】
この発明は、ＬＥＤを駆動する電源装置及びＬＥＤ照明装置に関するものである。
【背景技術】
【０００２】
照明装置やディスプレイ装置のバックライト等、ＬＥＤは種々の形態で利用されている。ＬＥＤに対して電力を供給するＬＥＤ駆動回路は、一般に定電流制御によって駆動される。ＬＥＤは、ｐｎ接合の順方向電流による電子−正孔発光再結合を利用していて、発光輝度は印加電圧より寧ろ通電電流にほぼ比例するからである。【０００３】
調光機能を備えたＬＥＤ照明装置として特許文献１が開示されている。図１は特許文献１に示されているＬＥＤ駆動電源装置の回路図である。
図１において、電力コンバータ１０は、ＥＭＩフィルタ１４、整流器１６、及び電力ブロック１８を備えている。電力コンバータ１０は、その入力端子に交流（ＡＣ）電圧Ｖａｃを受け取り、そのＡＣ電圧を直流（ＤＣ）電圧Ｖｄｃへ変換し、そしてＬＥＤ１２を駆動するための電流をその出力端子Ａ及びＢに与える。電力コンバータ１０は、ＡＣの高入力電圧を、整流されたＡＣ入力レベルより高くても低くてもよい希望の電圧レベルへ変換する。これは、ＬＥＤ電流を希望の輝度レベルに対して適切に制御できるようにする。更に、ＡＣ入力電流は、ＡＣ入力電圧に同期される。
【先行技術文献】
【特許文献】
【０００４】
【特許文献１】特表２００８−５３７４５９号公報
【発明の概要】
【発明が解決しようとする課題】
【０００５】
ＬＥＤ照明装置の輝度を調光により抑えようとするとき、駆動電流を絞る必要がある。しかし、ＬＥＤ照明装置の駆動電流を低下していくと、調光可能範囲の下限（ミニマム）付近で、ＬＥＤに流れる電流（ＬＥＤ電流）が非常に小さくなり、ＬＥＤ電流が不安定となる。そのため、消灯状態を含む範囲で調光を行う場合にはチラツキが発生する、という課題があった。【０００６】
ＬＥＤ電流の不安定性は定電流制御によって生じる。すなわち、定電流制御のためには、ＬＥＤ照明装置からの電流フィードバックが必要であるが、ＬＥＤ電流が非常に小さくなると、電流フィードバック量が充分な値ではなくなる。そのため動作上最低限必要な電流フィードバック量が得られるまで、ＬＥＤ電流が一旦余分に増加し、これによりフィードバック制御が掛かる。しかし、そのフィードバック制御によってＬＥＤ電流が余分に絞られることになり、再びＬＥＤ電流が余分に増加する。このような制御が繰り返されるため、上述のチラツキが発生する。【０００７】
そこで、この発明の目的は、消灯状態を含む範囲で調光を行う場合でも安定的に調光できるようにしたＬＥＤ駆動電源装置及びＬＥＤ照明装置を提供することにある。
【課題を解決するための手段】
【０００８】
この発明のＬＥＤ照明装置は、ＬＥＤ駆動電源装置とそれによって駆動されるＬＥＤとで構成される。そして、この発明のＬＥＤ駆動電源装置は、次のように構成される。
（１）入力電源から電力を入力し、ＬＥＤへ電力を出力する電力変換回路と、フィードバック制御信号に応じて前記電力変換回路を制御して前記ＬＥＤへの供給電力を制御する第１の制御回路と、前記ＬＥＤの輝度または前記ＬＥＤへの供給電力を設定するための外部調光信号が入力され、前記第１の制御回路へ前記フィードバック制御信号を出力する第２の制御回路と、を備え、
前記第２の制御回路は、
前記外部調光信号が通常点灯に設定する信号であるときに前記電力変換回路からの出力電流（前記ＬＥＤへの供給電流）を目標電流値に保つ定電流制御回路と、前記外部調光信号が最低輝度に設定する信号であるときに前記電力変換回路からの出力電圧（前記ＬＥＤへの供給電圧）を目標電圧値に保つ定電圧制御回路と、を有し、前記定電圧制御回路は、前記第１の制御回路が前記ＬＥＤのオフセット電圧（点灯／非点灯のしきい値電圧）以下で且つ前記第２の制御回路の動作可能下限電圧以上の電圧を出力するように、前記フィードバック制御信号を出力するように構成する。【０００９】
この構成により、外部調光信号が通常点灯に設定する信号であるとき、ＬＥＤは定電流駆動で調光が行われ、外部調光信号が最低輝度に設定する信号であるとき定電圧制御で安定した電圧が印加される。【００１０】
（２）例えば、前記入力電源は、商用交流電源であり、前記電力変換回路は、前記商用交流電圧を入力し、前記ＬＥＤへの供給電流が前記商用交流電源電圧と同位相で正弦波状に変化する力率改善コンバータである。【００１１】
（３）また例えば、前記入力電源は商用交流電源であり、前記電力変換回路は、前記商用交流電圧を入力し、絶縁状態で電力変換を行うトランスを備える。【００１２】
（４）前記定電流制御回路及び前記定電圧制御回路は共に動作し、
前記定電圧制御回路と前記定電流制御回路の出力のうち、負荷へ供給される電力を下げる方が優先して前記フィードバック制御信号として前記第１の制御回路へ出力され、前記外部調光信号が通常点灯に設定する信号であるときに、前記定電流制御回路の出力が有効になるように、前記定電圧制御回路の目標電圧値を第１の目標値に設定し、前記外部調光信号が最低輝度に設定する信号であるときに、前記定電圧制御回路の出力が有効になるように、前記定電圧制御回路の目標電圧値を前記第１の目標値より低い第２の目標値に設定する、定電圧制御回路目標値切替手段を備える。【００１３】
この構成により、定電流制御回路と定電圧制御回路の一方を停止させる必要がないので、選択回路が不要となる。【００１４】
（５）例えば、前記電力変換回路からの出力電流（前記ＬＥＤへの供給電流）が前記目標電流値に達しないとき、前記定電圧制御回路の出力が有効になるように、前記第１の目標値を定める。【００１５】
この構成により、負荷の開放時の出力電圧が第１の目標電圧値に制限されて、過電圧保護ができる。【００１６】
（６）また、例えば、前記目標電圧値を前記第２の制御回路の動作可能下限電圧より低い値にし、前記外部調光信号が最低輝度に設定する信号であるときに、前記電力変換回路は、前記第２の制御回路の動作停止による前記出力電圧の上昇と、前記第２の制御回路の動作による前記出力電圧の低下とを交互に繰り返すようにする。【００１７】
この構成により、出力電圧をより低い電圧範囲に維持することができるので、消灯時の電力消費が削減できる。
【発明の効果】
【００１８】
この発明によれば、消灯状態を含む範囲で調光を行う場合でも安定的に調光可能なＬＥＤ駆動電源装置及びＬＥＤ照明装置が構成できる。
【図面の簡単な説明】
【００１９】
【図１】特許文献１に示されているＬＥＤ駆動電源装置の回路図である。
【図２】ＬＥＤ駆動電源装置１０１及び、ＬＥＤ駆動電源装置１０１とＬＥＤ６０とで構成されるＬＥＤ照明装置の回路図である。
【図３】図２中の調光制御回路５０の具体的な回路構成を示す図である。
【図４】図２・図３中の各部の波形図である。
【図５】図２・図３中の各部の波形図である。
【図６】第２の実施形態に係るＬＥＤ駆動電源装置の各部の波形図である。
【発明を実施するための形態】
【００２０】
《第１の実施形態》
第１の実施形態に係るＬＥＤ駆動電源装置及びＬＥＤ照明装置について、図２〜図４を参照して説明する。
図２は、ＬＥＤ駆動電源装置１０１及び、ＬＥＤ駆動電源装置１０１とＬＥＤ６０とで構成されるＬＥＤ照明装置の回路図である。
この例では、ＬＥＤ駆動電源装置１０１は、電源入力端子Ｐ１１，Ｐ１２から商用交流電源Ｖａｃの電圧を入力し、電源出力端子Ｐ２１，Ｐ２２に接続されているＬＥＤ６０へ直流電力を供給する。このＬＥＤ駆動電源装置１０１は基本的にＰＦＣ（力率改善コンバータ）である。
【００２１】
ダイオードブリッジＤＢは、電源出力端子Ｐ２１，Ｐ２２から入力される交流電圧を全波整流する。トランスＴの１次巻線Ｎｐとスイッチング素子Ｑ１との直列回路がダイオードブリッジＤＢの出力に接続されている。また、ダイオードブリッジＤＢの出力にはノイズ除去用のコンデンサＣ３と入力電圧検出回路５５が接続されている。
【００２２】
トランスＴの２次巻線ＮｓにはダイオードＤ１及びコンデンサＣ１による整流平滑回路が接続されている。この整流平滑回路の出力には出力電圧検出回路５７が接続されている。負荷であるＬＥＤ６０の電流経路には電流検出用の抵抗Ｒ１が直列に接続されている。
【００２３】
トランスＴの補助巻線ＮｂにはダイオードＤ２及びコンデンサＣ２による整流平滑回路が接続されている。この整流平滑回路の出力電圧は電力変換制御回路５６に対して電源として供給される。
【００２４】
前記ダイオードブリッジＤＢ、トランスＴ、スイッチング素子Ｑ１、ダイオードＤ１、コンデンサＣ１によって電力変換回路が構成されている。
本発明の第１の制御回路に相当する電力変換制御回路５６はスイッチング素子Ｑ１をオン／オフ駆動することによって前記電力変換回路を制御する。電力変換制御回路５６は入力電圧検出回路５５の検出電圧に応じてスイッチング素子Ｑ１のオン時間またはオンデューティ比を制御して、電源入力端子Ｐ１１，Ｐ１２に流れる電流変化が商用交流電源Ｖａｃの電圧と同位相のほぼ正弦波となるようにする。このことによりＰＦＣとして作用させる。
【００２５】
また、電力変換制御回路５６は、絶縁手段５８を介して入力されるフィードバック制御信号に応じてスイッチング素子Ｑ１のオン時間又はスイッチング周期を制御して、ＬＥＤ６０への供給電力を制御する。
【００２６】
本発明の第２の制御回路に相当する調光制御回路５０は、定電流制御回路５１、定電圧制御回路５２、及びＯＲゲート回路５３を備えている。電流検出端子ＩＤには電流検出用抵抗Ｒ１の降下電圧が入力され、電圧検出端子ＶＤには出力電圧検出回路５７の検出電圧が入力される。制御端子ＣＮＴには外部調光信号が入力される。出力端子ＯＵＴからは、フォトカプラ等の絶縁手段５８を介して、電力変換制御回路５６に対してフィードバック制御信号が出力される。
【００２７】
定電流制御回路５１は、電流検出端子ＩＤに入力される電圧と制御端子ＣＮＴに入力される外部調光信号によって可変する電圧との誤差に応じて、電力変換制御回路５６に与えるべき電圧信号を発生する。すなわち、定電流制御回路５１は、ＬＥＤ６０への供給電流を外部調光信号によって決まった目標電流値以下に保つように制御する。
【００２８】
定電圧制御回路５２は、電圧検出端子ＶＤに入力される電圧と、制御端子ＣＮＴに入力される外部調光信号の電圧に応じて切り替えられる目標電圧値との誤差に応じて、電力変換制御回路５６に与えるべき電圧信号を発生する。すなわち、定電圧制御回路５２は、ＬＥＤ６０への供給電圧を目標電圧値以下に保つように制御する。
【００２９】
但し、定電流制御回路５１の出力電圧と定電圧制御回路５２の出力電圧のうち、ＬＥＤ６０への供給電力を下げる方が優先されて、フィードバック制御信号が電力変換制御回路５６へ与えられる。
【００３０】
図３は前記調光制御回路５０の具体的な回路構成を示す図である。定電流制御回路５１及び定電圧制御回路５２はそれぞれコンパレータＣＭＰ１，ＣＭＰ２及び参照電圧発生回路Ｖｒｉ，Ｖｒｖで構成されている。定電流制御回路５１の出力及び定電圧制御回路５２の出力はＯＲゲート回路５３へ与えられる。
【００３１】
コンパレータＣＭＰ１は、参照電圧発生回路Ｖｒｉの電圧と電流検出端子ＩＤの入力電圧との比較を行い、電流検出端子ＩＤの入力電圧が参照電圧Ｖｒｉより大きな負の電圧（絶対値電圧が大きな電圧）であるとき、ハイレベルの電圧を出力する。出力端子ＯＵＴの電圧がハイレベルであると、ＬＥＤ６０への供給電力が抑制される方向に作用する。ＬＥＤ６０への供給電力が低下すると電流検出端子ＩＤの入力電圧が低下する（絶対値電圧が小さくなる）。そのため、電流検出端子ＩＤの入力電圧が参照電圧Ｖｒｉの電圧を保つようにフィードバックが掛かり、そのことによって定電流制御される。
【００３２】
参照電圧Ｖｒｉは制御端子ＣＮＴに入力される外部調光信号のデューティに応じて変化する。外部調光信号のデューティが０％のとき参照電圧Ｖｒｉは最も大きな負電圧（絶対値が大きな電圧）となる。したがって、このときＭＡＸ点灯することになる。外部調光信号のデューティが１００％のとき参照電圧Ｖｒｉは最も小さな負電圧（絶対値が小さな電圧）となるので、このときは消灯状態である。そして、外部調光信号のデューティの変化によって参照電圧Ｖｒｉが変化するので調光点灯することになる。
【００３３】
コンパレータＣＭＰ２は、参照電圧発生回路Ｖｒｖの電圧と電圧検出端子ＶＤの入力電圧との比較を行い、電圧検出端子ＶＤの入力電圧が参照電圧Ｖｒｖより高い電圧であるとき、ハイレベルの電圧を出力する。出力端子ＯＵＴの電圧がハイレベルであると、ＬＥＤ６０への供給電力が抑制される方向に作用する。ＬＥＤ６０への供給電力が低下すると電圧検出端子ＶＤの入力電圧が低下する。そのため、電圧検出端子ＶＤの入力電圧が参照電圧Ｖｒｖの電圧を保つようにフィードバックが掛かり、そのことによって定電圧制御される。
【００３４】
参照電圧Ｖｒｖは制御端子ＣＮＴに入力される外部調光信号のデューティに応じて変化する。外部調光信号のデューティが０％以上９０％未満のとき、参照電圧Ｖｒｖは４０Ｖとなる。但し、このデューティの範囲では定電流制御が優先されるので、定電圧制御は働かない。外部調光信号のデューティが９０％以上のとき、参照電圧Ｖｒｖは１０Ｖに切り替えられる。このとき、定電圧制御が優先されて、ＬＥＤ６０に対して１０Ｖが印加されるように定電圧制御が掛かる。この電圧はＬＥＤ６０のオフセット電圧より低いので、ＬＥＤ６０は消灯状態となる。
【００３５】
参照電圧Ｖｒｖを外部調光信号で切り替える手段が、本発明に係る「定電圧制御回路目標値切替手段」に相当する。
【００３６】
ＯＲゲート回路５３は、コンパレータＣＭＰ１，ＣＭＰ２の何れかの出力がハイレベルとなれば、ハイレベルの電圧を出力する。したがって、定電流制御と定電圧制御のいずれについてもＬＥＤ６０への供給電力が抑制される方向でフィードバックが掛かることになる。
【００３７】
図４は図２・図３中の各部の波形図である。外部調光信号のデューティが０％のときＬＥＤ６０が最大輝度で点灯（ＭＡＸ点灯）し、９０％以上では消灯する。この間の外部調光信号では、デューティが広くなる程、ＬＥＤ６０の輝度が低下する。
【００３８】
前述のとおり、定電流制御回路５１の目標電流値は外部調光信号のデューティに応じて変化する。そのため、ＭＡＸ点灯や調光点灯のように通常点灯時には、外部調光信号のデューティに応じた電流値で定電流制御される。
【００３９】
一方、定電圧制御回路５２の目標電圧値は、外部調光信号のデューティが９０％未満の状態では４０Ｖ、外部調光信号のデューティが９０％以上では１０Ｖに切り替えられる（低く設定される）。そのため、外部調光信号のデューティが９０％以上になると、定電圧制御回路５２の出力電圧が低下する。
【００４０】
定電圧制御状態での出力電圧が、ＬＥＤ６０のオフセット電圧（例えば１５Ｖ）より低くなるように、目標電圧値が１０Ｖに設定されている。そのため、定電流制御から定電圧制御に切り替わったときにＬＥＤ６０は消灯することになる。この定電圧制御状態ではＬＥＤにオフセット電圧（Ｖoffset）未満の電圧（１０Ｖ）が安定して印加されるので、チラツキなく消灯状態を保つ。
【００４１】
以上に示したように、外部調光信号のデューティを０％から１００％まで変化させても、ＬＥＤの点灯状態では定電流制御により駆動され、消灯状態では定電圧制御により電圧が印加される。そのため、常に安定したフィードバックが掛かることになり、チラツキが生じることがない。
【００４２】
図５は図２・図３中の各部の波形図である。特に、何らかの原因でＬＥＤ６０が開放されている（負荷が接続されていない）状態でＬＥＤ駆動電源装置１０１が動作したときの過電圧保護機能について示している。
【００４３】
ＬＥＤ６０が接続されている状態でＭＡＸ点灯されていれば、定電圧制御回路５２の目標電圧値は４０Ｖである。定電流制御回路５１の目標電流値は５Ａであり、ＬＥＤ６０に印加される電圧は３０Ｖである。したがって、ＬＥＤ６０が接続されている状態で通常に点灯されていれば、前述のとおり定電流制御によってＬＥＤ６０は一定電流で駆動される。
【００４４】
ＬＥＤ駆動電源装置１０１の動作中にＬＥＤ６０が取り外されると、ＬＥＤ６０への供給電流が０になるので、定電流制御回路５１による制御が不可能となる。そのため、定電圧制御回路５２が有効になって、電源出力端子Ｐ２１，Ｐ２２への出力電圧は目標電圧値である４０Ｖが出力されることになる。
【００４５】
このようにして、ＬＥＤ６０が接続されていない状態でＬＥＤ駆動電源装置１０１が動作しても、電源出力端子Ｐ２１，Ｐ２２に４０Ｖを超える電圧が印加されることはない。すなわち過電圧保護がなされる。
【００４６】
《第２の実施形態》
第２の実施形態はＬＥＤの消灯時の電力消費を削減するようにしたＬＥＤ駆動電源装置に関するものである。
第２の実施形態に係るＬＥＤ駆動電源装置の構成は図２に示したものと同様である。
【００４７】
図６は第２の実施形態に係るＬＥＤ駆動電源装置の各部の波形図である。定電流制御状態は第１の実施形態と同様である。また、外部調光信号のデューティが９０％以上では、第１の実施形態と同様に、定電圧制御回路５２の出力電圧が有効になる。第１の実施形態と異なるのは、調光制御回路５０の動作開始電圧及び動作可能下限電圧を考慮して定電圧制御回路５２の目標電圧値を設定していることである。
【００４８】
定電圧制御回路５２の目標電圧値は、調光制御回路５０の動作可能下限電圧（図６の例では５Ｖ）より低い値（３Ｖ）に設定している。したがって、外部調光信号のデューティが９０％以上になると、電源出力端子Ｐ２１，Ｐ２２への出力電圧すなわち調光制御回路５０の電源端子Ｖｃｃへ供給される電源電圧は、目標電圧値である３Ｖにまで低下しようとする。調光制御回路５０の電源電圧が５Ｖを下回ると、調光制御回路５０はその動作を一旦停止する。これにより、調光制御回路５０から電力変換制御回路５６へフィードバック制御信号が与えられなくなり、電力変換制御回路５６はオープンループ動作によって動作する。すなわち負帰還が掛からないので、電源出力端子Ｐ２１，Ｐ２２への出力電圧が上昇することになる。
【００４９】
電源出力端子Ｐ２１，Ｐ２２への出力電圧が調光制御回路５０の動作可能電圧に達すると、調光制御回路５０が再び動作して負帰還が掛かるようになり、出力電圧は目標電圧値である３Ｖをめざして再び低下する。
【００５０】
図６に示すように、消灯状態は以上の動作を繰り返すことによって、出力電圧が非常に低い電圧範囲を維持することになる。そのため、消灯時の電力消費が削減できる。
【００５１】
なお、以上に示した例では、トランスを用いた絶縁型コンバータでＬＥＤ駆動電源装置を構成したが、トランスを用いないチョッパー回路でＬＥＤ駆動電源装置を構成してもよい。
【符号の説明】
【００５２】
ＣＮＴ…制御端子
ＤＢ…ダイオードブリッジ
ＩＤ…電流検出端子
Ｎｂ…補助巻線
Ｎｐ…１次巻線
Ｎｓ…２次巻線
ＯＵＴ…出力端子
Ｐ１１，Ｐ１２…電源入力端子
Ｐ２１，Ｐ２２…電源出力端子
Ｑ１…スイッチング素子
Ｔ…トランス
Ｖａｃ…商用交流電源
Ｖｃｃ…電源端子
ＶＤ…電圧検出端子
Ｖｒｉ…定電流制御回路参照電圧
Ｖｒｖ…定電圧制御回路参照電圧
５０…調光制御回路
５１…定電流制御回路
５２…定電圧制御回路
５３…ＯＲゲート回路
５５…入力電圧検出回路
５６…電力変換制御回路
５７…出力電圧検出回路
５８…絶縁手段
６０…ＬＥＤ
１０１…ＬＥＤ駆動電源装置
【図１】
2011065047.tif 000003
【図２】
2011065047.tif 000004
【図３】
2011065047.tif 000005
【図４】
2011065047.tif 000006
【図５】
2011065047.tif 000007
【図６】
2011065047.tif 000008
【国際調査報告】
2011065047.tif 000009
2011065047.tif 000010